(57)【要約】【課題】撮影画像中の秘密の顔画像を容易に特定し、画像合成して出力する。【解決手段】撮影画像ファイルの各撮影画像データ１２ｂｎ…を元の撮影画像１２ｈｎｂ−１，−２，…としてファイル名及びユーザ認証データ１２ｈｎａに対応付けて秘密画像ファイル１２ｈｎｂに保存し、元の撮影画像１２ｈｎｂ−１，−２，…について、シークレット用フォトアドレス帳メモリ１２ｇ３に登録されている秘密人物の顔画像を特定して予め対応設定されたアニメ顔などの別顔画像１２ｅ（ｎ）で置き換え処理した合成画像１２ｈｎｃ−１，−２，…を作成して公開画像ファイル１２ｈｎｃに保存する。画像表示操作に伴いファイル名が指定されると、指定ファイル名に対応する撮影画像ファイル１２ｈｎ内の公開画像ファイル１２ｈｎｃから合成画像１２ｈｎｃ−１，−２，…が出力表示され、正しいユーザ認証データ１２ｈｎａが入力されることで秘密画像ファイル１２ｈｎｂに保存された元の撮影画像１２ｈｎｂ−１，−２，…が出力表示される。【選択図】    図１
2005050012.tif 000002
【特許請求の範囲】
【請求項１】
サーチ顔画像を記憶するサーチ顔画像記憶手段と、
別顔画像を記憶する別顔画像記憶手段と、
撮影画像を記憶する撮影画像記憶手段と、
この撮影画像記憶手段により記憶された撮影画像の中から前記サーチ顔画像記憶手段により記憶されたサーチ顔画像に対応した顔画像を特定する顔画像特定手段と、
この顔画像特定手段により特定された顔画像を前記別顔画像記憶手段により記憶された別顔画像に置き換えて合成画像を作成する合成画像作成手段と、
この合成画像作成手段により作成された合成画像を出力する合成画像出力手段と、
を備えたことを特徴とする画像出力装置。
【請求項２】
サーチ顔画像を記憶するサーチ顔画像記憶手段と、
別顔画像を記憶する別顔画像記憶手段と、
撮影画像を記憶する撮影画像記憶手段と、
この撮影画像記憶手段により記憶された撮影画像の中から前記サーチ顔画像記憶手段により記憶されたサーチ顔画像に対応した顔画像を特定する顔画像特定手段と、
この顔画像特定手段により特定された顔画像を前記別顔画像記憶手段により記憶された別顔画像に置き換えて合成画像を作成する合成画像作成手段と、
この合成画像作成手段により作成された合成画像を記憶する合成画像記憶手段と、
外部からの画像出力要求に応答して、前記合成画像記憶手段により記憶された合成画像を出力する合成画像出力手段と、
外部からの画像出力要求に伴う認証情報の入力に応答して、前記撮影画像記憶手段により記憶された撮影画像を出力する撮影画像出力手段と、
を備えたことを特徴とする画像出力装置。
【請求項３】
サーチ顔画像を記憶するサーチ顔画像記憶手段と、
別顔画像を記憶する別顔画像記憶手段と、
撮影画像を記憶する撮影画像記憶手段と、
この撮影画像記憶手段により記憶された撮影画像の中から前記サーチ顔画像記憶手段により記憶されたサーチ顔画像に対応した顔画像を特定する顔画像特定手段と、
この顔画像特定手段により特定された顔画像を前記別顔画像記憶手段により記憶された別顔画像に置き換えて合成画像を作成する合成画像作成手段と、
この合成画像作成手段により作成された合成画像を記憶する合成画像記憶手段と、
外部からの画像出力要求に伴い正規の認証情報が入力された場合には前記撮影画像記憶手段により記憶された撮影画像を出力し、外部からの画像出力要求に伴い正規の認証情報が入力されない場合には前記合成画像記憶手段により記憶された合成画像を出力する画像出力手段と、
を備えたことを特徴とする画像出力装置。
【請求項４】
サーチ顔画像を記憶するサーチ顔画像記憶手段と、
別顔画像を記憶する別顔画像記憶手段と、
撮影画像を記憶する撮影画像記憶手段と、
この撮影画像記憶手段により記憶された撮影画像の中から前記サーチ顔画像記憶手段により記憶されたサーチ顔画像に対応した顔画像を特定する顔画像特定手段と、
この顔画像特定手段により特定された撮影画像の中の顔画像部分を記憶する特定顔画像部記憶手段と、
外部からの画像出力要求に伴い正規の認証情報が入力された場合には前記撮影画像記憶手段により記憶された撮影画像を出力する撮影画像出力手段と、
外部からの画像出力要求に伴い正規の認証情報が入力されない場合には前記特定顔画像部記憶手段により記憶された撮影画像の中の顔画像部分に従いその特定された顔画像を前記別顔画像記憶手段により記憶された別顔画像に置き換えて合成画像を作成する合成画像作成手段と、
この合成画像作成手段により作成された合成画像を出力する合成画像出力手段と、
を備えたことを特徴とする画像出力装置。
【請求項５】
前記別顔画像記憶手段により記憶する別顔画像は、前記サーチ顔画像記憶手段により記憶されるサーチ顔画像に対応付けて記憶し、
前記合成画像作成手段は、前記撮影画像の中の特定された顔画像を当該特定顔画像に対応したサーチ顔画像に対応付けられて前記別顔画像記憶手段により記憶された別顔画像に置き換えて合成画像を作成する、
ことを特徴とする請求項１ないし請求項４の何れか１項に記載の画像出力装置。
【請求項６】
前記合成画像作成手段は、
前記別顔画像記憶手段により記憶された別顔画像の１つを選択する別顔画像選択手段を有し、
前記撮影画像の中の特定された顔画像を当該特定顔画像に対応したサーチ顔画像に対応付けられて前記別顔画像記憶手段により記憶された別顔画像または前記別顔画像選択手段により選択された別顔画像に置き換えて合成画像を作成する、
ことを特徴とする請求項５に記載の画像出力装置。
【請求項７】
前記合成画像作成手段による前記撮影画像の中の特定された顔画像の別顔画像への置き換えは、当該特定顔画像のサイズに別顔画像のサイズを合わせて置き換えることを特徴とする請求項１ないし請求項６の何れか１項に記載の画像出力装置。
【請求項８】
さらに、撮影手段を備え、
前記撮影画像記憶手段は、前記撮影手段により撮影された撮影画像を記憶する
ことを特徴とする請求項１ないし請求項７の何れか１項に記載の画像出力装置。
【請求項９】
サーチ顔画像を記憶するサーチ顔画像記憶ステップと、
別顔画像を記憶する別顔画像記憶ステップと、
撮影画像を記憶する撮影画像記憶ステップと、
この撮影画像記憶ステップにて記憶された撮影画像の中から前記サーチ顔画像記憶ステップにて記憶されたサーチ顔画像に対応した顔画像を特定する顔画像特定ステップと、
この顔画像特定ステップにて特定された顔画像を前記別顔画像記憶ステップにて記憶された別顔画像に置き換えて合成画像を作成する合成画像作成ステップと、
この合成画像作成ステップにて作成された合成画像を出力する合成画像出力ステップと、
からなることを特徴とする画像出力方法。
【請求項１０】
サーチ顔画像を記憶するサーチ顔画像記憶ステップと、
別顔画像を記憶する別顔画像記憶ステップと、
撮影画像を記憶する撮影画像記憶ステップと、
この撮影画像記憶ステップにて記憶された撮影画像の中から前記サーチ顔画像記憶ステップにて記憶されたサーチ顔画像に対応した顔画像を特定する顔画像特定ステップと、
この顔画像特定ステップにて特定された顔画像を前記別顔画像記憶ステップにて記憶された別顔画像に置き換えて合成画像を作成する合成画像作成ステップと、
この合成画像作成ステップにて作成された合成画像を記憶する合成画像記憶ステップと、
外部からの画像出力要求に応答して、前記合成画像記憶ステップにて記憶された合成画像を出力する合成画像出力ステップと、
外部からの画像出力要求に伴う認証情報の入力に応答して、前記撮影画像記憶ステップにて記憶された撮影画像を出力する撮影画像出力ステップと、
からなることを特徴とする画像出力方法。
【請求項１１】
サーチ顔画像を記憶するサーチ顔画像記憶ステップと、
別顔画像を記憶する別顔画像記憶ステップと、
撮影画像を記憶する撮影画像記憶ステップと、
この撮影画像記憶ステップにて記憶された撮影画像の中から前記サーチ顔画像記憶ステップにて記憶されたサーチ顔画像に対応した顔画像を特定する顔画像特定ステップと、
この顔画像特定ステップにて特定された顔画像を前記別顔画像記憶ステップにて記憶された別顔画像に置き換えて合成画像を作成する合成画像作成ステップと、
この合成画像作成ステップにて作成された合成画像を記憶する合成画像記憶ステップと、
外部からの画像出力要求に伴い正規の認証情報が入力された場合には前記撮影画像記憶ステップにて記憶された撮影画像を出力し、外部からの画像出力要求に伴い正規の認証情報が入力されない場合には前記合成画像記憶ステップにて記憶された合成画像を出力する画像出力ステップと、
からなることを特徴とする画像出力方法。
【請求項１２】
コンピュータを制御して画像の出力処理を行うための画像出力処理プログラムであって、
前記コンピュータを、
サーチ顔画像を記憶するサーチ顔画像記憶手段、
別顔画像を記憶する別顔画像記憶手段、
撮影画像を記憶する撮影画像記憶手段、
この撮影画像記憶手段により記憶された撮影画像の中から前記サーチ顔画像記憶手段により記憶されたサーチ顔画像に対応した顔画像を特定する顔画像特定手段、
この顔画像特定手段により特定された顔画像を前記別顔画像記憶手段により記憶された別顔画像に置き換えて合成画像を作成する合成画像作成手段、
この合成画像作成手段により作成された合成画像を出力する合成画像出力手段、
として機能させるようにしたコンピュータ読み込み可能な画像出力処理プログラム。
【請求項１３】
コンピュータを制御して画像の出力処理を行うための画像出力処理プログラムであって、
前記コンピュータを、
サーチ顔画像を記憶するサーチ顔画像記憶手段、
別顔画像を記憶する別顔画像記憶手段、
撮影画像を記憶する撮影画像記憶手段、
この撮影画像記憶手段により記憶された撮影画像の中から前記サーチ顔画像記憶手段により記憶されたサーチ顔画像に対応した顔画像を特定する顔画像特定手段、
この顔画像特定手段により特定された顔画像を前記別顔画像記憶手段により記憶された別顔画像に置き換えて合成画像を作成する合成画像作成手段、
この合成画像作成手段により作成された合成画像を記憶する合成画像記憶手段、
外部からの画像出力要求に応答して、前記合成画像記憶手段により記憶された合成画像を出力する合成画像出力手段、
外部からの画像出力要求に伴う認証情報の入力に応答して、前記撮影画像記憶手段により記憶された撮影画像を出力する撮影画像出力手段、
として機能させるようにしたコンピュータ読み込み可能な画像出力処理プログラム。
【請求項１４】
コンピュータを制御して画像の出力処理を行うための画像出力処理プログラムであって、
前記コンピュータを、
サーチ顔画像を記憶するサーチ顔画像記憶手段、
別顔画像を記憶する別顔画像記憶手段、
撮影画像を記憶する撮影画像記憶手段、
この撮影画像記憶手段により記憶された撮影画像の中から前記サーチ顔画像記憶手段により記憶されたサーチ顔画像に対応した顔画像を特定する顔画像特定手段、
この顔画像特定手段により特定された顔画像を前記別顔画像記憶手段により記憶された別顔画像に置き換えて合成画像を作成する合成画像作成手段、
この合成画像作成手段により作成された合成画像を記憶する合成画像記憶手段、
外部からの画像出力要求に伴い正規の認証情報が入力された場合には前記撮影画像記憶手段により記憶された撮影画像を出力し、外部からの画像出力要求に伴い正規の認証情報が入力されない場合には前記合成画像記憶手段により記憶された合成画像を出力する画像出力手段、
として機能させるようにしたコンピュータ読み込み可能な画像出力処理プログラム。
【請求項１５】
端末毎にサーチ顔画像を記憶するサーチ顔画像記憶手段と、
別顔画像を記憶する別顔画像記憶手段と、
端末から撮影画像を受信する撮影画像受信手段と、
この撮影画像受信手段により受信された撮影画像を記憶する撮影画像記憶手段と、
この撮影画像記憶手段により記憶された撮影画像の中から前記サーチ顔画像記憶手段により記憶されたサーチ顔画像に対応した顔画像を特定する顔画像特定手段と、
この顔画像特定手段により特定された顔画像を前記別顔画像記憶手段により記憶された別顔画像に置き換えて合成画像を作成する合成画像作成手段と、
この合成画像作成手段により作成された合成画像を記憶する合成画像記憶手段と、
端末からの画像配信要求の受信に応答して、前記合成画像記憶手段により記憶された合成画像を当該端末へ送信する合成画像送信手段と、
を備えたことを特徴とする画像配信サーバ。
【請求項１６】
端末毎にサーチ顔画像を記憶するサーチ顔画像記憶手段と、
別顔画像を記憶する別顔画像記憶手段と、
端末から撮影画像を受信する撮影画像受信手段と、
この撮影画像受信手段により受信された撮影画像を記憶する撮影画像記憶手段と、
この撮影画像記憶手段により記憶された撮影画像の中から前記サーチ顔画像記憶手段により記憶されたサーチ顔画像に対応した顔画像を特定する顔画像特定手段と、
この顔画像特定手段により特定された顔画像を前記別顔画像記憶手段により記憶された別顔画像に置き換えて合成画像を作成する合成画像作成手段と、
この合成画像作成手段により作成された合成画像を記憶する合成画像記憶手段と、
特定会員用ホームページにおいて端末からの画像配信要求が受信された場合には前記撮影画像記憶手段により記憶された撮影画像を当該端末へ送信し、一般会員用ホームページにおいて端末からの画像配信要求が受信された場合には前記合成画像記憶手段により記憶された合成画像を当該端末へ送信する画像送信手段と、
を備えたことを特徴とする画像配信サーバ。
【請求項１７】
コンピュータを制御して画像の配信処理を行うための画像配信処理プログラムであって、
前記コンピュータを、
端末毎にサーチ顔画像を記憶するサーチ顔画像記憶手段、
別顔画像を記憶する別顔画像記憶手段、
端末から撮影画像を受信する撮影画像受信手段、
この撮影画像受信手段により受信された撮影画像を記憶する撮影画像記憶手段、
この撮影画像記憶手段により記憶された撮影画像の中から前記サーチ顔画像記憶手段により記憶されたサーチ顔画像に対応した顔画像を特定する顔画像特定手段、
この顔画像特定手段により特定された顔画像を前記別顔画像記憶手段により記憶された別顔画像に置き換えて合成画像を作成する合成画像作成手段、
この合成画像作成手段により作成された合成画像を記憶する合成画像記憶手段、
端末からの画像配信要求の受信に応答して、前記合成画像記憶手段により記憶された合成画像を当該端末へ送信する合成画像送信手段、
として機能させるようにしたコンピュータ読み込み可能な画像配信処理プログラム。
【請求項１８】
コンピュータを制御して画像の配信処理を行うための画像配信処理プログラムであって、
前記コンピュータを、
端末毎にサーチ顔画像を記憶するサーチ顔画像記憶手段、
別顔画像を記憶する別顔画像記憶手段、
端末から撮影画像を受信する撮影画像受信手段、
この撮影画像受信手段により受信された撮影画像を記憶する撮影画像記憶手段、
この撮影画像記憶手段により記憶された撮影画像の中から前記サーチ顔画像記憶手段により記憶されたサーチ顔画像に対応した顔画像を特定する顔画像特定手段、
この顔画像特定手段により特定された顔画像を前記別顔画像記憶手段により記憶された別顔画像に置き換えて合成画像を作成する合成画像作成手段、
この合成画像作成手段により作成された合成画像を記憶する合成画像記憶手段、
特定会員用ホームページにおいて端末からの画像配信要求が受信された場合には前記撮影画像記憶手段により記憶された撮影画像を当該端末へ送信し、一般会員用ホームページにおいて端末からの画像配信要求が受信された場合には前記合成画像記憶手段により記憶された合成画像を当該端末へ送信する画像送信手段、として機能させるようにしたコンピュータ読み込み可能な画像配信処理プログラム。
【発明の詳細な説明】
【０００１】
【発明の属する技術分野】
本発明は、デジタルカメラやカメラ付携帯端末などにおける撮影画像を合成画像にして出力するための画像出力装置、画像出力方法、画像出力処理プログラム、および画像配信サーバ、画像配信処理プログラムに関する。
【０００２】
【従来の技術】
従来、各種のスチルカメラやビデオカメラにおいて、撮影した画像に対し他の画像を合成して表示あるいは印刷して出力するものがある。
【０００３】
例えば撮影フレームの固定した位置に予め用意された花や人気キャラクタなどのアニメ画像を合成して出力するものや、同予め用意されたアニメ画像を撮影フレーム内の希望の位置に合成して出力するものなどが実用されている。
【０００４】
また、デジタルカメラにより撮影された画像をパーソナルコンピュータの表示画面上に表示させて他の画像と合成して編集することもできるが、この場合に他の画像は例えば他の画像ファイルから選択的に切り出したり、インターネット上の任意のホームページ画面からダウンロードしたりするなどして取得され、撮影画像上の希望位置に合成される。
【０００５】
また、デジタルカメラにより撮影された画像の任意の領域（例えば顔の部分）を切り出し、この切り出し画像を予め用意されたアニメ画像（例えばアニメキャラクタの顔部分）に合成させて新たな別の画像を作成するものや、任意の画像の指定した領域に対して、これに関連付けたアニメ画像を合成するものも考えられている。（例えば、特許文献１参照。）
【０００６】
【特許文献１】
特開２００１−２３０９７２号公報
【０００７】
【発明が解決しようとする課題】
しかしながら、このような従来の画像処理システムでは、撮影画像に対して、予め用意された画像をそのまま固定あるいは希望の位置に合成して出力したり、あるいは任意の切り出し画像に対して予め用意された画像を合成して出力したりするだけのものであるため、例えば撮影画像毎にその位置がさまざまに異なっている特定の被写体画像に何らかの画像合成を施す場合には、ユーザが１枚１枚の撮影画像毎に当該特定の被写体画像を探し位置指定して他の画像との画像合成を図らなければならない。
【０００８】
一方で近年、小型のデジタルカメラやデジタルカメラ付きの携帯電話が大幅に普及したことにより、各ユーザが撮影画像を常に持ち歩き、当該撮影画像が第三者に対して見られる状況も増えている。
【０００９】
しかしながら、撮影画像中に第三者には見られたくない例えば恋人などの人物が写っている場合、前記予め用意されたアニメ画像などを見られたくない人物の位置に重ねて画像合成しておくことも考えられるが、何枚もの撮影画像の１枚１枚について該当人物の有無とその位置を探し出して画像の合成作業を行わなければならず、非常に面倒な問題がある。
【００１０】
しかもこのような場合、ユーザ自身がその撮影画像を見るときにだけ、容易にオリジナルの撮影画像を見ることができ、第三者が見るときには必然的に合成した撮影画像を表示できるようにすることが望ましい。
【００１１】
本発明は、前記のような問題に鑑みてなされたもので、撮影画像中の隠したい顔画像を容易に探し出し、画像合成して出力することが可能になる画像出力装置、画像出力方法、画像出力処理プログラム、および画像配信サーバ、画像配信処理プログラムを提供することを目的とする。
【００１２】
【課題を解決するための手段】
本発明の請求項１に係る画像出力装置では、サーチ顔画像記憶手段によりサーチ顔画像が記憶され、別顔画像記憶手段により別顔画像が記憶され、撮影画像記憶手段により撮影画像が記憶される。そして、顔画像特定手段によって前記撮影画像記憶手段により記憶された撮影画像の中から前記サーチ顔画像記憶手段により記憶されたサーチ顔画像に対応した顔画像が特定される。すると、合成画像作成手段によって前記特定された顔画像を前記別顔画像記憶手段により記憶された別顔画像に置き換えた合成画像が作成され、合成画像出力手段によって出力される。
【００１３】
これによれば、撮影画像の中の例えば秘密の人物の顔画像を、サーチ顔画像に基づき容易に特定しこれを別顔画像に置き換えた合成画像を作成でき、この合成画像を出力できることになる。
【００１４】
本発明の請求項２に係る画像出力装置では、サーチ顔画像記憶手段によってサーチ顔画像が記憶され、別顔画像記憶手段によって別顔画像が記憶され、撮影画像記憶手段によって撮影画像が記憶される。そして、顔画像特定手段によって前記撮影画像記憶手段により記憶された撮影画像の中から前記サーチ顔画像記憶手段により記憶されたサーチ顔画像に対応した顔画像が特定され、合成画像作成手段によって前記顔画像特定手段により特定された顔画像を前記別顔画像記憶手段により記憶された別顔画像に置き換えた合成画像が作成され、合成画像記憶手段によって記憶される。すると、合成画像出力手段によって外部からの画像出力要求に応答して前記合成画像記憶手段により記憶された合成画像が出力され、また撮影画像出力手段によって外部からの画像出力要求に伴う認証情報の入力に応答して、前記撮影画像記憶手段により記憶された撮影画像が出力される。
【００１５】
これによれば、撮影画像の中の例えば秘密の人物の顔画像を、サーチ顔画像に基づき容易に特定しこれを別顔画像に置き換えた合成画像を作成できるばかりでなく、通常の画像出力要求時には当該合成画像を出力でき、撮影者本人などの認証情報が入力された場合にのみ元の撮影画像を出力できることになる。
【００１６】
本発明の請求項３に係る画像出力装置では、サーチ顔画像記憶手段によってサーチ顔画像が記憶され、別顔画像記憶手段によって別顔画像が記憶され、撮影画像記憶手段によって撮影画像が記憶される。そして、顔画像特定手段によって前記撮影画像記憶手段により記憶された撮影画像の中から前記サーチ顔画像記憶手段により記憶されたサーチ顔画像に対応した顔画像が特定され、合成画像作成手段によって前記顔画像特定手段により特定された顔画像を前記別顔画像記憶手段により記憶された別顔画像に置き換えた合成画像が作成され、合成画像記憶手段によって記憶される。すると、画像出力手段によって外部からの画像出力要求に伴い正規の認証情報が入力された場合には前記撮影画像記憶手段により記憶された撮影画像が出力され、外部からの画像出力要求に伴い正規の認証情報が入力されない場合には前記合成画像記憶手段により記憶された合成画像が出力される。
【００１７】
これによれば、撮影画像の中の例えば秘密の人物の顔画像を、サーチ顔画像に基づき容易に特定しこれを別顔画像に置き換えた合成画像を作成できるばかりでなく、撮影者本人などの正規の認証情報が入力された場合には元の撮影画像を出力でき、正規の認証情報が入力されない場合にはその合成画像を出力できることになる。
【００１８】
本発明の請求項４に係る画像出力装置では、サーチ顔画像記憶手段によってサーチ顔画像が記憶され、別顔画像記憶手段によって別顔画像が記憶され、撮影画像記憶手段によって撮影画像が記憶される。そして、顔画像特定手段によって前記撮影画像記憶手段により記憶された撮影画像の中から前記サーチ顔画像記憶手段により記憶されたサーチ顔画像に対応した顔画像が特定され、特定顔画像部記憶手段によって前記特定された撮影画像の中の顔画像部分が記憶される。すると、撮影画像出力手段によって外部からの画像出力要求に伴い正規の認証情報が入力された場合には前記撮影画像記憶手段により記憶された撮影画像が出力され、また、外部からの画像出力要求に伴い正規の認証情報が入力されない場合には、合成画像作成手段によって前記特定顔画像部記憶手段により記憶された撮影画像の中の顔画像部分に従いその特定された顔画像を前記別顔画像記憶手段により記憶された別顔画像に置き換えた合成画像が作成されると共に、合成画像出力手段によって出力される。
【００１９】
これによれば、撮影者本人などの正規の認証情報が入力された場合には撮影した元の撮影画像を出力でき、正規の認証情報が入力されない場合には撮影画像の中の例えば秘密の人物の顔画像を、サーチ顔画像に基づき容易に特定しこれを別顔画像に置き換えた合成画像を作成して出力できることになる。
【００２０】
本発明の請求項５に係る画像出力装置では、前記請求項１ないし請求項４の何れか１項に係る画像出力装置にあって、前記別顔画像記憶手段により記憶される別顔画像は、前記サーチ顔画像記憶手段により記憶されるサーチ顔画像に対応付けられて記憶され、前記合成画像作成手段では、前記撮影画像の中の特定された顔画像を当該特定顔画像に対応したサーチ顔画像に対応付けられて前記別顔画像記憶手段により記憶された別顔画像に置き換えた合成画像が作成される。
【００２１】
これによれば、撮影画像の中の例えば秘密の人物の顔画像を、サーチ顔画像に基づき容易に特定しこれを当該サーチ顔画像に応じたアニメ顔などの別顔画像に置き換えた合成画像を作成できることになる。
【００２２】
本発明の請求項６に係る画像出力装置では、前記請求項５に係る画像出力装置にあって、前記合成画像作成手段は、前記別顔画像記憶手段により記憶された別顔画像の１つを選択する別顔画像選択手段を有し、前記撮影画像の中の特定された顔画像を当該特定顔画像に対応したサーチ顔画像に対応付けられて前記別顔画像記憶手段により記憶された別顔画像または前記別顔画像選択手段により選択された別顔画像に置き換えて合成画像を作成する。
【００２３】
これによれば、撮影画像の中の例えば秘密の人物の顔画像を、サーチ顔画像に基づき容易に特定しこれを当該サーチ顔画像に応じたアニメ顔などの別顔画像か又は任意選択した別顔画像に置き換えた合成画像を作成できることになる。
【００２４】
本発明の請求項７に係る画像出力装置では、請求項１ないし請求項６の何れか１項に係る画像出力装置にあって、前記合成画像作成手段による前記撮影画像の中の特定された顔画像の別顔画像への置き換えは、当該特定顔画像のサイズに別顔画像のサイズを合わせて置き換えられる。
【００２５】
これによれば、撮影画像の中の例えば秘密の人物の顔画像を、サーチ顔画像に基づき容易に特定しこれを当該特定顔画像のサイズに合わせた別顔画像に置き換えた合成画像を作成できることになる。
【００２６】
本発明の請求項８に係る画像出力装置では、前記請求項１ないし請求項７の何れか１項に係る画像出力装置にあって、さらに、デジタルカメラなどの撮影手段を備え、この撮影手段により撮影された撮影画像に基づいて、当該撮影画像が撮影画像記憶手段により記憶されたり、この撮影画像中のサーチ顔画像が別顔画像に置き換え合成されて合成画像出力手段により出力される。
【００２７】
【発明の実施の形態】
以下、図面を参照して本発明の実施の形態について説明する。
【００２８】
（第１実施形態）
図１は本発明の第１実施形態に係る画像出力装置１０の電子回路の構成を示すブロック図である。
【００２９】
この画像出力装置１０は、デジタルカメラ、デジタルカメラ付き携帯電話、デジタルカメラ付きＰＤＡ（ｐｅｒｓｏｎａｌ  ｄｉｇｉｔａｌ  ａｓｓｉｓｔａｎｔｓ）などの携帯機器として構成されるもので、各種の記録媒体に記録されたプログラム、又は、伝送されたプログラムを読み込んで、その読み込んだプログラムによって動作が制御されるコンピュータによって構成され、その電子回路には、ＣＰＵ（ｃｅｎｔｒａｌ  ｐｒｏｃｅｓｓｉｎｇ  ｕｎｉｔ）１１が備えられる。
【００３０】
ＣＰＵ１１は、メモリ１２内に予め記憶された装置制御プログラム、あるいはＣＤ−ＲＯＭなどの外部記録媒体１３から記録媒体読取部１４を介して前記メモリ１２に読み込まれた装置制御プログラム、あるいはインターネットＮ上のＷｅｂサーバ２１（この場合はプログラムサーバ）から電送制御部１５を介して前記メモリ１２に読み込まれた装置制御プログラムに応じて、回路各部の動作を制御するもので、前記メモリ１２に記憶された装置制御プログラムは、キーやタッチパネルからなる入力部１６からのユーザ操作に応じた入力信号、あるいは画像入力部（デジタルカメラ部）１７を介して入力される画像信号、あるいは認証情報入力部１７ｘを介して入力される個人認証情報（指紋画像，パスワードなど）、あるいは電送制御部１５を介して接続されるインターネットＮ上の各Ｗｅｂサーバ２１…との通信信号に応じて起動される。
【００３１】
前記ＣＰＵ１１には、前記メモリ１２、記録媒体読取部１４、電送制御部１５、入力部１６、画像入力部１７、認証情報入力部１７ｘが接続される他に、距離センサ１８、ＬＣＤからなる表示部１９、画像出力部２０などが接続される。
【００３２】
画像入力部１７は、撮影画像データを入力するもので、ＣＣＤ（ｃｈａｒｇｅ  ｃｏｕｐｌｅｄ  ｄｅｖｉｃｅ）により撮像された画像信号がデジタルデータに変換されて取得される。
【００３３】
距離センサ１８は、前記画像入力部１７において入力される撮影画像の被写体までの距離を検出する。
【００３４】
画像出力部２０は、前記画像入力部１７から入力された撮影画像に基づき本装置により処理された画像データを出力するもので、この出力画像データは、例えばメモリカード、ＶＴＲ（録画装置）、画像印刷機などに選択的に出力され、当該画像の記憶，録画，印刷などが行われる。
【００３５】
メモリ１２には、当該画像出力装置１０の全体の動作を司るシステムプログラムや電送制御部１５を介してインターネットＮ上の各Ｗｅｂサーバ２１…とデータ通信するための通信プログラムが記憶される他に、画像入力部１７や表示部１９，画像出力部２０を介して本画像出力装置１０で撮影画像内の隠蔽（秘密に）すべき特定画像（例えば人物顔画像）の別の画像への置き換え合成出力処理などを行うための画像出力処理プログラム１２ａなどが記憶される。
【００３６】
また、このメモリ１２には、デジカメ撮影画像メモリ１２ｂ、特定顔画像位置登録メモリ１２ｃ、別顔画像メモリ１２ｅ、フォトアドレス帳メモリ１２ｇ、撮影画像ファイル１２ｈ１，１２ｈ２，…などが用意される。
【００３７】
デジカメ撮影画像メモリ１２ｂには、写真撮影に伴い画像入力部１７により撮像入力された撮影画像データ１，２，…が順次記憶保持される。
【００３８】
特定顔画像位置登録メモリ１２ｃには、前記デジカメ撮影画像メモリ１２ｂに記憶保持された各撮影画像データ１，２，…のそれぞれに対応付けて、その撮影画像から隠蔽（秘密に）すべき顔画像が特定された場合には、当該撮影画像上での特定された顔画像位置が登録される。
【００３９】
図２は前記画像出力装置１０の別顔画像メモリ１２ｅに記憶された各種の別顔画像（１），（２），…を示す図である。
【００４０】
この別顔画像メモリ１２ｅには、前記隠蔽（秘密に）すべき顔画像に置き換えて使用される各種アニメからなる別の顔画像（１），（２），…が記憶されるもので、この別顔画像（１），（２），…は、例えばその（１）（２）（３）については、それぞれ後述するシークレット用フォトアドレス帳メモリ１２ｇ３（図３参照）に登録された１番目〜３番目の人物の顔画像１２ｇ３（１），（２），（３）と置き換えるための別顔画像として予め設定される。
【００４１】
図３は前記画像出力装置１０のフォトアドレス帳メモリ１２ｇに記憶された各フォトアドレスデータの内容を示す図である。
【００４２】
フォトアドレス帳メモリ１２ｇとしては、ビジネス用１２ｇ１、プライベート用１２ｇ２，シークレット用１２ｇ３が用意されるもので、それぞれ知人，友人などの顔の撮影画像、名前、ＴＥＬ（電話番号）、メールアドレスが登録される。
【００４３】
シークレット用のフォトアドレス帳メモリ１２ｇ３には、ユーザ自身が第三者に対して特に秘密にしたい（公開したくない）、例えば恋人や親友のデータが登録されるもので、このシークレット用として登録された各人物のフォトアドレスデータには、当該顔画像が撮影画像データ１２ｂｎの中に含まれている場合に、その顔画像を秘密にして置き換える前記別顔画像メモリ１２ｅに記憶された別の顔画像のＮｏ．が予め対応付けられて設定される。
【００４４】
本実施形態では、例えばシークレットアドレスデータ「Ｙａｍａｄａ  Ｍｅｇｕｍｉ」の顔画像１２ｇ３（１）に対応する置き換え画像としては別顔画像１２ｅ（１）が設定され、また、「Ｙａｍａｍｏｔｏ  Ａｋｉｋｏ」の顔画像１２ｇ３（２）に対応する置き換え画像としては別顔画像１２ｅ（２）が設定され、「Ｔａｎａｋａ  Ｈｉｒｏｓｈｉ」の顔画像１２ｇ３（３）に対応する置き換え画像としては別顔画像１２ｅ（３）が設定される。
【００４５】
撮影画像ファイル（１）１２ｈ１，（２）１２ｈ２，…には、そのそれぞれのファイル（１）（２）…毎に、ファイル名及びユーザ認証データ（指紋画像やパスワードなど）１２ｈ１ａ，１２ｈ２ａ，…に対応付けされた秘密画像ファイル１２ｈ１ｂ，１２ｈ２ｂ，…と公開画像ファイル１２ｈ１ｃ，１２ｈ２ｃ，…とが記憶される。
【００４６】
秘密画像ファイル１２ｈ１ｂ，１２ｈ２ｂ，…には、前記デジカメ撮影画像メモリ１２ｂに記憶保持された各撮影画像データ１，２，…がその１ファイル分ずつそのまま元の撮影画像−１，−２，…として記憶され、公開画像ファイル１２ｈ１ｃ，１２ｈ２ｃ，…には、同一の撮影画像ファイル（１）１２ｈ１，（２）１２ｈ２，…内で対応する秘密画像ファイル１２ｈ１ｂ，１２ｈ２ｂ，…に記憶された撮影画像−１，−２，…それぞれの隠蔽（秘密に）すべき特定顔画像（１２ｃ）を、前記シークレット用フォトアドレス帳メモリ１２ｇ３に基づき設定された別顔画像１２ｅ（ｎ）に置き換えた合成画像−１，−２，…が記憶される。
【００４７】
つまり、撮影画像１２ｈｎｂ−１，１２ｈｎｂ−２，…から特定された隠蔽すべきシークレットの顔画像１２ｇ３（ｎ）に対し、当該シークレット顔画像１２ｇ３（ｎ）に対応付けて設定した別顔画像１２ｅ（ｎ）を置き換えてなる合成画像１２ｈｎｃ−１，１２ｈｎｃ−２，…が公開画像ファイル１２ｈｎｃとされ、各合成画像１２ｈｎｃ−１，１２ｈｎｃ−２，…の元の撮影画像１２ｈｎｂ−１，１２ｈｎｂ−２，…が秘密画像ファイル１２ｈｎｂとされ、ユーザ認証データ１２ｈｎａに対応付けられて記憶保存される。
【００４８】
なお、前記デジカメ撮影画像メモリ１２ｂに記憶保持されて秘密画像ファイル１２ｈｎｂに保存される元の撮影画像１２ｈｎｂ−１，１２ｈｎｂ−２，…それぞれからの隠蔽すべき顔画像の特定は、シークレット用のフォトアドレス帳メモリ１２ｇ３に登録されている秘密にしたい（公開したくない）知人，友人の顔画像に基づいて行われるもので、元の撮影画像１２ｈｎｂ−１，１２ｈｎｂ−２，…のそれぞれについて該撮影画像中の各被写体顔画像と前記シークレット用フォトアドレス帳メモリ１２ｇ３にある全てのシークレット顔画像１２ｇ３（１），１２ｇ３（２），…との類似度が判定され、これにより予め設定された高類似度（例えば９０％以上）であると判定された被写体顔画像が隠蔽すべき顔画像として特定される。
【００４９】
また、このメモリ１２には、画像処理ワークエリア（図示せず）が用意され、この画像処理ワークエリアには、前記画像出力処理プログラム１２ａに従い処理される画像データがその画像処理に応じて一時記憶される。
【００５０】
このように構成された画像出力装置１０について、その合成画像作成動作の概要を説明する。
【００５１】
ここでは、画像出力装置１０をデジタルカメラ付き携帯電話１０Ａあるいはデジタルカメラ１０Ｂとして実施した場合について説明する。
【００５２】
図４は前記画像出力装置であるデジタルカメラ付き携帯電話１０Ａの外観構成を示す図であり、同図（Ａ）はその全体斜視図、同図（Ｂ）はその部分拡大図である。
【００５３】
デジタルカメラ付き携帯電話１０Ａでは、各種のキーが配列された入力部１６の下端部にユーザ認証データ１２ｈｎａとしての指紋画像を入力するための認証情報入力部１７ｘが設けられる。
【００５４】
図５は前記画像出力装置であるデジタルカメラ１０Ｂとそのクレードル１５ｘの外観構成を示す図である。
【００５５】
デジタルカメラ１０Ｂの入力部１６としては、メニュー画面を表示させるための「ＭＥＮＵ」キー１６ａ、撮影モード（ＲＥＣ）と再生モード（ＰＬＡＹ）とを切り替えるための切り替えキー１６ｂ、撮影画像の取り込みを指示するためのシャッタキー１６ｃ、表示画面（１９）上でのデータ選択やカーソル移動及び選択データ決定などの操作を行うための上下左右に指１本で操作可能な選択／決定キー１６ｄが備えられる。
【００５６】
そして、選択／決定キー１６ｄの頭部には、ユーザ認証データ１２ｈｎａとしての指紋画像を入力するための認証情報入力部１７ｘが設けられる。
【００５７】
また、デジタルカメラ１０Ｂは、当該カメラ１０Ｂの充電台やユーザＰＣ（ｐｅｒｓｏｎａｌ  ｃｏｍｐｕｔｅｒ）との通信インターフェイスとなるクレードル１５ｘに対して容易に着脱可能である。このクレードル１５ｘへのデジタルカメラ１０Ｂの装着状態において、「ＰＨＯＴＯ」ボタン１５ａが押された場合には、撮影画像ファイル１２ｈｎに保存されている公開画像ファイル１２ｈｎｃや秘密画像ファイル１２ｈｎｂの表示部１９に対する読み出し表示（フォトスタンド機能）が行われる。
【００５８】
この場合、秘密画像ファイル１２ｈｎｂは、例えば選択／決定キー１６ｄの操作に伴い認証情報入力部１７ｘから入力された操作者の個人認証情報（この場合は「指紋画像」）が、当該秘密画像ファイル１２ｈｎｂに対応付けられたユーザ認証データ１２ｈｎａと一致した場合にのみ読み出されて表示出力される。
【００５９】
なお、「ＵＳＢ」ボタン１５ｂが押された場合には、撮影画像ファイル１２ｈｎに保存されている公開画像ファイル１２ｈｎｃや秘密画像ファイル１２ｈｎｂのユーザＰＣへの転送出力が行われるが、この場合にも秘密画像ファイル１２ｈｎｂは、認証情報入力部１７ｘから入力された操作者の個人認証情報が、当該秘密画像ファイル１２ｈｎｂに対応付けられたユーザ認証データ１２ｈｎａと一致した場合にのみ読み出されて転送出力される。
【００６０】
図６は前記画像出力装置１０の公開／秘密画像設定処理に伴い撮影画像ファイル１２ｈ１にユーザ認証データ１２ｈ１ａを対応付けて保存管理される秘密画像ファイル１２ｈ１ｂと公開画像ファイル１２ｈ１ｃを示す図であり、同図（Ａ）（Ｂ）（Ｃ）は秘密画像ファイル１２ｈ１ｂに保存管理された元の撮影画像１２ｈ１ｂ−１，１２ｈ１ｂ−２，１２ｈ１ｂ−３を示す図、同図（Ａ１）（Ｂ１）（Ｃ１）はそれぞれその隠蔽すべき特定の顔画像を別顔画像に置き換えて公開画像ファイル１２ｈ１ｃに保存管理された合成画像１２ｈ１ｃ−１，１２ｈ１ｃ−２，１２ｈ１ｃ−３を示す図である。
【００６１】
図６（Ａ）（Ｂ）（Ｃ）に示すように、撮影した撮影画像１２ｂ１，１２ｂ２，１２ｂ３がデジカメ撮影画像メモリ１２ｂに記憶され、撮影画像ファイル１２ｈ１内の秘密画像ファイル１２ｈ１ｂ（１２ｈ１ｂ−１，１２ｈ１ｂ−２，１２ｈ１ｂ−３）に保存されると、各撮影画像１２ｈ１ｂ−１，１２ｈ１ｂ−２，１２ｈ１ｂ−３のそれぞれについて、該画像内の各被写体の顔画像Ｈｎとシークレット用フォトアドレス帳メモリ１２ｇ３（図３参照）に登録されている全ての顔画像１２ｇ３（ｎ）との類似度が判断され、高類似度であると判断された被写体の顔画像Ｈｎが別顔画像に置き換えて隠蔽すべき特定顔画像位置として登録（１２ｃ）される。
【００６２】
例えば図６（Ａ１）（Ｂ１）（Ｃ１）に示すように、被写体顔画像Ｈ１が前記シークレット顔画像１２ｇ３（１）と一致する特定顔画像であると判断された場合には、当該特定顔画像Ｈ１はシークレット用フォトアドレス帳メモリ１２ｇ３での別顔Ｎｏ．により対応設定された別顔画像１２ｅ（１）に置き換えられてなる合成画像１２ｈ１ｃ−１，１２ｈ１ｃ−２，１２ｈ１ｃ−３として作成され、公開画像ファイル１２ｈ１ｃに保存される。
【００６３】
これにより、撮影画像ファイル（１）１２ｈ１の秘密画像ファイル１２ｈ１ｂには、図６（Ａ）（Ｂ）（Ｃ）で示した元の撮影画像１２ｈ１ｂ−１，１２ｈ１ｂ−２，１２ｈ１ｂ−３が保存され、公開画像ファイル１２ｈ１ｃには、図６（Ａ１）（Ｂ１）（Ｃ１）で示した合成画像１２ｈ１ｃ−１，１２ｈ１ｃ−２，１２ｈ１ｃ−３が保存されて管理される。
【００６４】
図７は前記画像出力装置１０の公開／秘密画像設定処理に伴い撮影画像ファイル１２ｈ２にユーザ認証データ１２ｈ２ａを対応付けて保存管理される秘密画像ファイル１２ｈ２ｂと公開画像ファイル１２ｈ２ｃを示す図であり、同図（Ａ）（Ｂ）（Ｃ）は秘密画像ファイル１２ｈ２ｂに保存管理された元の撮影画像１２ｈ２ｂ−１，１２ｈ２ｂ−２，１２ｈ２ｂ−３を示す図、同図（Ａ１）（Ｂ１）（Ｃ１）はそれぞれその隠蔽すべき特定の顔画像を別顔画像に置き換えて公開画像ファイル１２ｈ２ｃに保存管理された合成画像１２ｈ２ｃ−１，１２ｈ２ｃ−２，１２ｈ２ｃ−３を示す図である。
【００６５】
図７（Ａ）（Ｂ）（Ｃ）に示すように、撮影した撮影画像１２ｂ１，１２ｂ２，１２ｂ３がデジカメ撮影画像メモリ１２ｂに記憶され、撮影画像ファイル１２ｈ２内の秘密画像ファイル１２ｈ２ｂ（１２ｈ２ｂ−１，１２ｈ２ｂ−２，１２ｈ２ｂ−３）に保存されると、各撮影画像１２ｈ２ｂ−１，１２ｈ２ｂ−２，１２ｈ２ｂ−３のそれぞれについて、該画像内の各被写体の顔画像Ｈｎとシークレット用フォトアドレス帳メモリ１２ｇ３（図３参照）に登録されている全ての顔画像１２ｇ３（ｎ）との類似度が判断され、高類似度であると判断された被写体の顔画像Ｈｎが別顔画像に置き換えて隠蔽すべき特定顔画像位置として登録（１２ｃ）される。
【００６６】
例えば図７（Ａ１）（Ｂ１）（Ｃ１）に示すように、被写体顔画像Ｈ１，Ｈ２がそれぞれ前記シークレット顔画像１２ｇ３（２），１２ｇ３（３）と一致する特定顔画像であると判断された場合には、当該特定顔画像Ｈ１，Ｈ２はシークレット用フォトアドレス帳メモリ１２ｇ３での別顔Ｎｏ．により対応設定された別顔画像１２ｅ（２），１２ｅ（３）に置き換えられてなる合成画像１２ｈ２ｃ−１，１２ｈ２ｃ−２，１２ｈ２ｃ−３として作成され、公開画像ファイル１２ｈ２ｃに保存される。
【００６７】
これにより、撮影画像ファイル（２）１２ｈ２の秘密画像ファイル１２ｈ２ｂには、図７（Ａ）（Ｂ）（Ｃ）で示した元の撮影画像１２ｈ２ｂ−１，１２ｈ２ｂ−２，１２ｈ２ｂ−３が保存され、公開画像ファイル１２ｈ２ｃには、図７（Ａ１）（Ｂ１）（Ｃ１）で示した合成画像１２ｈ２ｃ−１，１２ｈ２ｃ−２，１２ｈ２ｃ−３が保存されて管理される。
【００６８】
そして、この画像出力装置１０での画像表示処理に際しては、正しいユーザ認証データ１２ｈｎａが入力された場合にのみ、秘密画像ファイル１２ｈｎｂに保存された元の撮影画像１２ｈｎｂ−１，１２ｈｎｂ−２，…が読み出されて表示され、それ以外は公開画像ファイル１２ｈｎｃに保存された合成画像１２ｈｎｃ−１，１２ｈｎｃ−２，…が読み出されて表示される。
【００６９】
次に、前記構成による画像出力装置１０による詳細な画像処理動作について説明する。
【００７０】
図８は前記画像出力装置１０による画像撮影処理を示すフローチャートである。
【００７１】
この画像出力装置１０であるデジタルカメラ付き携帯電話１０Ａ（図４参照）あるいはデジタルカメラ１０Ｂ（図５参照）において任意の画像撮影を行うと、画像入力部１７によって撮像入力された撮影画像データは、その撮影操作毎に順次デジカメ撮影画像メモリ１２ｂに記憶される（ステップＡ１，Ａ２）。
【００７２】
そして、一連の画像の撮影が終了し、入力部１６によってファイル名を入力すると、この入力されたファイル名が前記デジカメ撮影画像メモリ１２ｂに記憶された一連の撮影画像１，２，…に付加されて記憶される（ステップＡ２→Ａ３）。
【００７３】
図９は前記画像出力装置１０による公開／秘密画像設定処理を示すフローチャートである。
【００７４】
この画像出力装置１０により撮影されてそのファイル名と共にデジカメ撮影画像メモリ１２ｂに記憶された各撮影画像のファイルの中から、公開／秘密画像として設定する画像ファイル１２ｂ１，１２ｂ２，…（図６（Ａ）（Ｂ）（Ｃ）参照）が指定されると（ステップＢ１）、当該指定された画像ファイル１２ｂ１，１２ｂ２，…の中から先頭の撮影画像データ１２ｂ１が読み出され（ステップＢ２）、図１０における合成画像作成処理に移行される（ステップＢＳ）。
【００７５】
図１０は前記画像出力装置１０の公開／秘密画像設定処理に伴う合成画像作成処理を示すフローチャートである。
【００７６】
まず、前記デジカメ撮影画像メモリ１２ｂから読み出された指定の画像ファイル１２ｂ１，１２ｂ２，…の中の先頭の撮影画像データ１２ｂ１（図６（Ａ）参照）が、撮影画像ファイル１２ｈ１に対して当該指定のファイル名１２ｈ１ａと対応付けられて秘密画像ファイル１２ｈ１ｂ内の元の撮影画像１２ｈ１ｂ−１として保存される（ステップＳ１）。
【００７７】
すると、今回保存された元の撮影画像１２ｈ１ｂ−１について、シークレット用フォトアドレス帳メモリ１２ｇ３に登録されている秘密にすべき人物の顔画像データ１２ｇ３（ｎ）に基づき、当該撮影画像１２ｈ１ｂ−１に含まれる隠蔽すべき顔画像を特定するための撮影顔画像特定処理（図１１参照）に移行される（ステップＳＣ）。
【００７８】
図１１は前記画像出力装置１０の合成画像作成処理に伴う撮影顔画像特定処理を示すフローチャートである。
【００７９】
まず、前記秘密画像ファイル１２ｈ１ｂに保存された元の撮影画像データ１２ｈ１ｂ−１（図６（Ａ）参照）から、当該画像に含まれる被写体の顔画像部分Ｈ１，Ｈ２，…が抽出される（ステップＣ１）。この撮影画像１２ｈ１ｂ−１に対する顔画像部分Ｈｎの抽出処理は、当該画像に輪郭処理を施して各輪郭の形や配置関係ら顔エリアを抽出するか、又は肌色の円形部分を顔エリアとして抽出するなどして行う。
【００８０】
すると、前記撮影画像データ１２ｈ１ｂ−１から最初に抽出された顔画像部分Ｈ１が隠蔽すべき顔画像の特定候補として指定され（ステップＣ２）、また、シークレット用フォトアドレス帳メモリ１２ｇ３（図３参照）に登録されている秘密にしたい（公開したくない）各知人の顔画像の中から最初の顔画像１２ｇ３（１）がサーチ顔画像として指定される（ステップＣ３）。
【００８１】
すると、前記隠蔽候補として抽出指定された顔画像Ｈ１と前記指定のサーチ顔画像１２ｇ３（１）との類似度が演算され、当該候補顔画像Ｈ１とサーチ顔画像１２ｇ３（１）との組み合わせに対応付けてワークエリアに登録される（ステップＣ４）。
【００８２】
すると、前記シークレット用フォトアドレス帳メモリ１２ｇ３（図３参照）に登録されている秘密にしたい（公開したくない）各知人の顔画像の中から次の顔画像１２ｇ３（２）がサーチ顔画像として指定され（ステップＣ５→Ｃ６）、前記同様に抽出指定された候補顔画像Ｈ１と当該次のサーチ顔画像１２ｇ３（２）との類似度が演算されて登録される（ステップＣ３，Ｃ４）。
【００８３】
これにより、前記元の撮影画像データ１２ｈ１ｂ−１から抽出された最初の候補顔画像Ｈ１について、シークレット用フォトアドレス帳メモリ１２ｇ３に登録されている各サーチ顔画像１２ｇ３（１），（２），…との全ての類似度が演算登録される（ステップＣ３〜Ｃ６）。
【００８４】
すると、前記元の撮影画像データ１２ｈ１ｂ−１から顔画像抽出された次の候補顔画像Ｈ２が指定され（ステップＣ７→Ｃ８）、また、前記シークレット用フォトアドレス帳メモリ１２ｇ３から再び最初の顔画像１２ｇ３（１）がサーチ顔画像として指定され（ステップＣ３）、前記同様に、当該次の候補顔画像Ｈ２についても、シークレット用フォトアドレス帳メモリ１２ｇ３に登録されている各サーチ顔画像１２ｇ３（１），（２），…との全ての類似度が演算登録される（ステップＣ３〜Ｃ６）。
【００８５】
こうして、元の撮影画像データ１２ｈ１ｂ−１から顔画像抽出された隠蔽対象候補の各顔画像Ｈ１，Ｈ２，…のそれぞれについて、シークレット用フォトアドレス帳メモリ１２ｇ３に登録されている秘密にしたい（公開したくない）全てのサーチ顔画像１２ｇ３（１），（２），…との類似度演算と登録処理が行われると（ステップＣ２〜Ｃ８）、まず、最初のサーチ顔画像１２ｇ３（１）が指定され（ステップＣ９）、このサーチ顔画像１２ｇ３（１）について最も高い類似度が得られた候補顔画像（被写体顔画像）Ｈｎが検知され（ステップＣ１０）、その類似度が予め設定された一定以上の類似度であるか否か、つまり、秘密にしたい（公開したくない）知人の顔画像と同一か否か判断される（ステップＣ１１）。
【００８６】
ここで、一定以上の類似度ではないと判断されると、前記指定のサーチ顔画像１２ｇ３（１）である秘密にしたい（公開したくない）知人の顔画像については、前記元の撮影画像データ１２ｈ１ｂ−１の中に存在しないことが登録される（ステップＣ１１→Ｃ１２）。
【００８７】
すると、次のサーチ顔画像１２ｇ３（２）が指定され（ステップＣ１３→Ｃ１４）、前記同様に、この指定のサーチ顔画像１２ｇ３（２）について最も高い類似度が得られた候補顔画像（被写体顔画像）Ｈｎが検知され（ステップＣ１０）、その類似度が予め設定された一定以上の類似度であるか否か判断される（ステップＣ１１）。
【００８８】
そして、例えば図６（Ａ）で示した元の撮影画像１２ｈ１ｂ−１において、図３で示した前記指定のサーチ顔画像１２ｇ３（１）である秘密にしたい（公開したくない）知人の顔画像について最も高い類似度が得られた候補顔画像（被写体顔画像）Ｈ１が、一定以上の類似度であって同一人物の顔画像であると特定判断された場合には、当該特定顔画像（被写体顔画像）Ｈ１の撮影画像データ１２ｈ１ｂ−１上での顔画像部分Ｈ１が、置き換え対象の特定顔画像位置として特定顔画像位置登録メモリ１２ｃに登録される（ステップＣ１１→Ｃ１５）。
【００８９】
こうして、前記シークレット用フォトアドレス帳メモリ１２ｇ３に登録されている秘密にしたい（公開したくない）全てのサーチ顔画像１２ｇ３（１），（２），…について、前記元の撮影画像データ１２ｈ１ｂ−１の中から抽出された隠蔽すべき顔画像（被写体顔画像）Ｈ１，Ｈ２，…として存在するか否か判断され、当該元の撮影画像データ１２ｈ１ｂ−１について、例えば図６（Ａ）で示した抽出顔画像Ｈ１が隠蔽すべき置き換え対象の特定顔画像として位置登録されると（ステップＣ１０〜Ｃ１５）、この元の撮影画像データ１２ｈ１ｂ−１についての撮影顔画像特定処理（ステップＳＣ）が終了される。
【００９０】
すると、前記撮影画像１２ｈ１ｂ−１において特定された置き換え対象の顔画像Ｈ１であるシークレット顔画像１２ｇ３（１）に対応付けられて設定された別顔Ｎｏ．（１）に従い、図２で示した別顔画像メモリ１２ｅに記憶されている別顔画像１２ｅ（１）が読み出されて表示される（ステップＳ２）。
【００９１】
ここで、現在表示中の別顔画像１２ｅ（１）に置き換えて前記撮影画像１２ｈ１ｂ−１から特定されたシークレット顔画像Ｈ１（１２ｇ３（１））を隠蔽するか否かが、ユーザ操作に応じて判断され（ステップＳ３）、当該表示中の別顔画像１２ｅ（１）に置き換えしない場合には、別顔画像メモリ１２ｅに記憶されている他の別顔画像１２ｅ（ｎ）が選択表示され、任意の別顔画像１２ｅ（ｎ）が選択されて指定される（ステップＳ４）。
【００９２】
一方、現在表示中の別顔画像１２ｅ（１）に置き換えて前記撮影画像１２ｈ１ｂ−１から特定されたシークレット顔画像Ｈ１（１２ｇ３（１））を隠蔽することが操作判断された場合には、特定顔画像位置登録メモリ１２ｃに登録された撮影画像データ１２ｈ１ｂ−１についての特定顔画像部分Ｈ１に基づき、当該撮影画像データ１２ｈ１ｂ−１の特定顔画像部分Ｈ１に対して、前記別顔画像メモリ１２ｅから読み出されて表示されている別顔画像１２ｅ（１）が置き換えられ、図６（Ａ１）に示すような、合成画像１２ｈ１ｃ−１が作成される（ステップＳ５）。
【００９３】
なお、前記元の撮影画像１２ｈ１ｂ−１における特定顔画像Ｈ１について、対応する別の顔画像１２ｅ（１）に置き換え合成するときには、当該撮影画像データ１２ｈ１ｂ−１の特定顔画像Ｈ１のサイズに合わせて拡大／縮小した別顔画像１２ｅ（１）にして置き換え合成される。
【００９４】
すなわち、図６（Ａ）で示した、秘密画像ファイル１２ｈ１ｂに保存された元の撮影画像データ１２ｈ１ｂ−１について、その抽出顔画像Ｈ１がシークレット用フォトアドレス帳メモリ１２ｇ３に登録されているシークレット顔画像１２ｇ３（１）と類似度が高く隠蔽すべき顔画像Ｈ１として特定されると、当該顔画像Ｈ１（１２ｇ３（１））は、このシークレット顔画像１２ｇ３（１）に対応付けられて設定された別顔Ｎｏ．（１）に基づき、図６（Ａ１）に示すように、別顔画像メモリ１２ｅから読み出された別顔画像１２ｅ（１）に置き換えられた合成画像１２ｈ１ｃ−１が作成され（ステップＳ５）、この合成画像１２ｈ１ｃ−１は、指定のファイル名（１２ｈ１ａ）に対応するところの公開画像ファイル１２ｈ１ｃに記憶保存される（ステップＳ６）。
【００９５】
こうした合成画像作成処理（ステップＢＳ（Ｓ１〜Ｓ６））により、デジカメ撮影画像メモリ１２ｂに記憶保持された指定の画像ファイルの中の最初の撮影画像データ１２ｂ１について、秘密画像ファイル１２ｈ１ｂへの元の撮影画像１２ｈ１ｂ−１としての保存、およびその隠蔽すべき顔画像Ｈｎの特定に基づいた合成画像１２ｈ１ｃ−１の作成と、対応する公開画像ファイル１２ｈ１ｃへの保存が完了すると、前記デジカメ撮影画像メモリ１２ｂから当該指定の画像ファイルの中の次の撮影画像データ１２ｂ２（図６（Ｂ）参照）が読み出される（ステップＢ３→Ｂ４）。
【００９６】
すると、この撮影画像データ１２ｂ２についても、前記同様の合成画像作成処理が実行され（ステップＢＳ）、秘密画像ファイル１２ｈ１ｂへの元の撮影画像１２ｈ１ｂ−２としての保存、およびその隠蔽すべき顔画像Ｈｎの特定に基づいた合成画像１２ｈ１ｃ−２の作成と、対応する公開画像ファイル１２ｈ１ｃへの保存が行われる。
【００９７】
すなわち、図６（Ｂ）で示した、秘密画像ファイル１２ｈ１ｂに保存された元の撮影画像データ１２ｈ１ｂ−２について、その抽出顔画像Ｈ１が前記同様にシークレット用フォトアドレス帳メモリ１２ｇ３に登録されているシークレット顔画像１２ｇ３（１）と類似度が高く隠蔽すべき顔画像Ｈ１として特定されると、当該顔画像Ｈ１（１２ｇ３（１））は、このシークレット顔画像１２ｇ３（１）に対応付けられて設定された別顔Ｎｏ．（１）に基づき、図６（Ｂ１）に示すように、別顔画像メモリ１２ｅから読み出された別顔画像１２ｅ（１）に置き換えられた合成画像１２ｈ１ｃ−２が作成され（ステップＳ５）、この合成画像１２ｈ１ｃ−２は、指定のファイル名（１２ｈ１ａ）に対応するところの公開画像ファイル１２ｈ１ｃに記憶保存される（ステップＳ６）。
【００９８】
さらに、図６（Ｃ）で示した、元の撮影画像データ１２ｈ１ｂ−３についても、前記同様に処理され、図６（Ｃ１）に示すようなシークレット顔画像Ｈ１（１２ｇ３（１））が別顔画像１２ｅ（１）に置き換えられた合成画像１２ｈ１ｃ−３が作成されて公開画像ファイル１２ｈ１ｃに記憶保存される（ステップＢ３，Ｂ４，ＢＳ（Ｓ１〜Ｓ６））。
【００９９】
この後、デジカメ撮影画像メモリ１２ｂに記憶されている指定の画像ファイルの中の全ての撮影画像データ１２ｂ１，１２ｂ２，…について、前記同様に合成画像作成処理が繰り返されることで（ステップＢＳ，Ｂ３，Ｂ４）、各撮影画像データ１２ｂ１，１２ｂ２，…それぞれの秘密画像ファイル１２ｈ１ｂへの元の撮影画像１２ｈ１ｂ−１，−２，…としての保存、およびその隠蔽すべき顔画像Ｈｎの特定に基づいた合成画像１２ｈ１ｃ−１，−２，…の作成と、対応する公開画像ファイル１２ｈ１ｃへの保存が完了すると、前記秘密画像ファイル１２ｈ１ｂの読み出しキーとなる個人認証データ１２ｈ１ａ（指紋、パスワードなど）が認証情報入力部１７ｘから入力されて同一ファイル名の撮影画像ファイル１２ｈ１に登録設定される（ステップＢ５）。
【０１００】
なお、図７で示す撮影画像ファイルは、前記図６で示した撮影画像ファイルとはファイル名の異なる他の撮影画像ファイルであり、図７（Ａ）（Ｂ）（Ｃ）で示す撮影画像ファイル１２ｂ１，１２ｂ２，１２ｂ３，…についても、前記同様の公開／秘密画像設定処理（ステップＢ１〜Ｂ５）に従い、撮影画像ファイル１２ｈ２の秘密画像ファイル１２ｈ２ｂに対して元の撮影画像１２ｈ２ｂ−１，１２ｈ２ｂ−２，１２ｈ２ｂ−３，…として保存される。そして、この元の撮影画像１２ｈ２ｂ−１，１２ｈ２ｂ−２，１２ｈ２ｂ−３については、それぞれ抽出された顔画像Ｈ１，Ｈ２が、シークレット用フォトアドレス帳メモリ１２ｇ３（図３参照）に登録されているシークレット顔画像１２ｇ３（２），１２ｇ３（３）と類似度が高いとして置き換え対象の顔画像Ｈ１，Ｈ２に特定される。すると、このシークレット顔画像１２ｇ３（２），１２ｇ３（３）に対応付けられて設定された別顔Ｎｏ．（２），（３）に従い、図７（Ａ１）（Ｂ１）（Ｃ１）に示すように、前記特定顔画像Ｈ１，Ｈ２が別顔画像１２ｅ（２），１２ｅ（３）に置き換えられてなる合成画像１２ｈ２ｃ−１，１２ｈ２ｃ−２，１２ｈ２ｃ−３が作成され、撮影画像ファイル１２ｈ２の公開画像ファイル１２ｈ２ｃに保存されると共に、秘密画像ファイル１２ｈ２ｂについての認証データ１２ｈ２ａが対応設定される。
【０１０１】
このようにして、撮影した各撮影画像ファイルの元の撮影画像１２ｈ１ｂ−１，−２，…（１２ｈ２ｂ−１，１２ｈ２ｂ−２，…）が撮影画像ファイル（１）１２ｈ１（（２）１２ｈ２）における秘密画像ファイル１２ｈ１ｂ（１２ｈ２ｂ）に保存され、また当該各撮影画像１２ｈ１ｂ−１，−２，…（１２ｈ２ｂ−１，−２，…）内で秘密にしたい（公開したくない）被写体の顔画像Ｈｎをシークレット用フォトアドレス帳メモリ１２ｇ３に登録されている第三者に秘密の知人の顔画像データ１２ｇ（１）（２）（３）に基づき特定し、これを予め対応設定または選択指定された別顔画像１２ｅ（１）（２）（３）に置き換えてなる合成画像１２ｈ１ｃ−１，−２，…（１２ｈ２ｃ−１，−２，…）を作成して撮影画像ファイル（１）１２ｈ１（（２）１２ｈ２）における公開画像ファイル１２ｈ１ｃ（１２ｈ２ｃ）に対応保存すると共に、その個人認証データ１２ｈ１ａ（１２ｈ２ａ）も対応付けて設定された状態で、これらの画像ファイルを表示部１９の表示画面に表示させて見るには、図１２における画像表示処理が起動される。
【０１０２】
図１２は前記画像出力装置１０の画像表示処理を示すフローチャートであり、同図（Ａ）はその画像表示処理（方式１）を示すフローチャート、同図（Ｂ）はその画像表示処理（方式２）を示すフローチャートである。
【０１０３】
画像表示処理（方式１）の場合には、入力部１６での入力操作により表示させるべき画像ファイルのファイル名が指定されると（ステップＤ１１）、認証情報入力部１７ｘからユーザ認証情報が入力されたか否か判断される（ステップＤ１２）。
【０１０４】
ここで、ユーザ認証情報の入力がないと判断された場合には、前記指定のファイル名に対応するところの撮影画像ファイル１２ｈｎにおける公開画像ファイル１２ｈｎｃ内の合成画像が読み出され、例えば図６（Ａ１）（Ｂ１）（Ｃ１）あるいは図７（Ａ１）（Ｂ１）（Ｃ１）で示したように、第三者に見られたくない（公開したくない）秘密の被写体の顔画像Ｈｎを、例えば予めその本人によって選択設定された対応する別の顔画像１２ｅ（ｎ）に置き換えてなる合成画像１２ｈｎｃ−１，−２，−３，…として表示出力される（ステップＤ１３）。
【０１０５】
一方、前記ステップＤ１２において、ユーザ認証情報の入力がされたと判断されると共に、当該入力されたユーザ認証情報が前記指定のファイル名に対応するところの撮影画像ファイル１２ｈｎに登録された認証データ１２ｈｎａと一致する正しい認証情報であると判断された場合には（ステップＤ１４）、該当の撮影画像ファイル１２ｈｎにおける秘密画像ファイル１２ｈｎｂ内の撮影画像が読み出され、例えば図６（Ａ）（Ｂ）（Ｃ）あるいは図７（Ａ）（Ｂ）（Ｃ）で示したように、何ら隠蔽合成していない元の撮影画像１２ｈｎｂ−１，−２，−３として表示出力される（ステップＤ１５）。
【０１０６】
一方、前記ステップＤ１４において、入力されたユーザ認証情報が前記指定のファイル名に対応するところの撮影画像ファイル１２ｈｎに登録された認証データ１２ｈｎａと一致せず不正な認証情報であると判断された場合には、前記認証情報が入力されない場合（ステップＤ１２）と同様に、該当の撮影画像ファイル１２ｈｎにおける公開画像ファイル１２ｈｎｃ内の合成画像が読み出され、図６（Ａ１）（Ｂ１）（Ｃ１）あるいは図７（Ａ１）（Ｂ１）（Ｃ１）で示したように、第三者に見られたくない（公開したくない）秘密の被写体の顔画像Ｈｎを、例えば予めその本人によって選択設定された対応する別の顔画像１２ｅ（ｎ）に置き換えてなる合成画像１２ｈｎｃ−１，−２，…として表示出力される（ステップＤ１３）。
【０１０７】
この画像表示処理（方式１）によれば、ファイル名の指定と共に正しいユーザ認識情報が入力された場合には、指定ファイル名の撮影画像ファイル１２ｈｎにおける秘密画像ファイル１２ｈｎｂから合成処理していない元の撮影画像１２ｈｎｂ−１，−２，…が読み出されて表示されるようになり、またユーザ認識情報が入力されない場合や不正な認識情報が入力された場合には、指定ファイル名の撮影画像ファイル１２ｈｎにおける公開画像ファイル１２ｈｎｃから、秘密の被写体顔画像Ｈｎを対応設定されたアニメ顔などの別の顔画像１２ｅ（ｎ）に置き換えて合成処理した画像１２ｈｎｃ−１，−２，…が読み出されて表示されるようになり、シークレット用フォトアドレス帳メモリ１２ｇ３に登録されている自分の恋人など、第三者には秘密の被写体を写した撮影画像が保存されている場合でも、安心して第三者の操作に任せて画像の表示を行わせることができる。
【０１０８】
画像表示処理（方式２）の場合には、入力部１６での入力操作により表示させるべき画像ファイルのファイル名が指定されると（ステップＤ２１）、当該指定のファイル名に対応するところの撮影画像ファイル１２ｈｎにおける公開画像ファイル１２ｈｎｃ内の合成画像が読み出され、例えば図６（Ａ１）（Ｂ１）（Ｃ１）あるいは図７（Ａ１）（Ｂ１）（Ｃ１）で示したように、第三者に見られたくない（公開したくない）秘密の被写体の顔画像画像Ｈｎが、例えば予めその本人によって選択設定された対応するアニメ顔などの別の顔画像１２ｅ（ｎ）に置き換えられた合成画像１２ｈｎｃ−１，−２，…として表示出力される（ステップＤ２２）。
【０１０９】
すると、この公開画像ファイル１２ｈｎｃによる合成画像１２ｈｎｃ−１，−２，…の表示出力状態にあって、認証情報入力部１７ｘからユーザ認証情報が入力されたか否か判断される（ステップＤ２３）。
【０１１０】
ここで、ユーザ認証情報の入力がないと判断された場合には、前記公開画像ファイル１２ｈｎｃによる合成画像１２ｈｎｃ−１，−２，…の表示出力状態がそのまま維持される（ステップＤ２３（Ｎｏ））。
【０１１１】
一方、前記ステップＤ２３において、ユーザ認証情報の入力がされたと判断されると共に、当該入力されたユーザ認証情報が前記指定のファイル名に対応するところの撮影画像ファイル１２ｈｎに登録された認証データ１２ｈｎａと一致する正しい認証情報であると判断された場合には（ステップＤ２４）、該当の撮影画像ファイル１２ｈｎにおける秘密画像ファイル１２ｈｎｂ内の撮影画像が読み出され、例えば図６（Ａ）（Ｂ）（Ｃ）あるいは図７（Ａ）（Ｂ）（Ｃ）で示したように、何ら隠蔽合成していない元の撮影画像１２ｈｎｂ−１，−２，…として表示出力される（ステップＤ２５）。
【０１１２】
この画像表示処理（方式２）によれば、ファイル名の指定に応じて、まず当該指定ファイル名の撮影画像ファイル１２ｈｎにおける公開画像ファイル１２ｈｎｃから、秘密の被写体顔画像Ｈｎを対応する別の顔画像１２ｅ（ｎ）に置き換えて合成処理した画像１２ｈｎｃ−１，−２，…が読み出されて表示され、この後、正しいユーザ認識情報が入力された場合は、同一撮影画像ファイル１２ｈｎにおける秘密画像ファイル１２ｈｎｂから合成処理していない元の撮影画像１２ｈｎｂ−１，−２，…が読み出されて表示されるので、デジタルカメラ付き携帯電話１０Ａやデジタルカメラ１０Ｂとしての本画像出力装置１０を第三者の操作に任せて画像の表示を行わせたとしても、シークレット用フォトアドレス帳メモリ１２ｇ３に登録されている自分の恋人などが写っている第三者には秘密の撮影画像については当該秘密の被写体の顔画像を対応するアニメ顔などの別顔画像１２ｅ（ｎ）に置き換えて合成処理した合成画像１２ｈｎｃ−１，−２，…として表示でき、正しい認証情報を知っているユーザ本人だけがその元の撮影画像１２ｈｎｂ−１，−２，…を表示させて見ることができる。
【０１１３】
なお、本実施形態では、秘密画像ファイル１２ｈｎｂに保存される元の撮影画像１２ｈｎｂ−１，−２，…について、シークレット用フォトアドレス帳メモリ１２ｇに登録されている第三者に秘密の知人の顔画像データ１２ｇ３（ｎ）に基づき隠蔽すべき顔画像Ｈｎを特定し、これを対応アニメ顔などの別顔画像１２ｅ（ｎ）で置き換えてなる合成画像１２ｈｎｃ−１，−２，…を作成して公開画像ファイル１２ｈｎｃに記憶させておき、正しいユーザ認証情報１２ｈｎａが入力されない状態では、この公開画像ファイル１２ｈｎｃに記憶させた合成画像１２ｈｎｃ−１，−２，…を表示させることで、第３者には秘密の被写体の顔画像Ｈｎを見せずにその撮影画像の雰囲気が分かるような表示を行う構成としたが、公開画像ファイル１２ｈｎｃには秘密画像ファイル１２ｈｎｂに保存される元の撮影画像１２ｈｎｂ−１，−２，…のそれぞれに対応付けた隠蔽すべき顔画像Ｈｎの特定位置とこれに置き換えて合成すべき別顔画像の種類（１２ｅ（ｎ））だけを記憶させておき、この公開画像ファイル１２ｈｎｃの出力に際して前記元の撮影画像１２ｈｎｂ−１，−２，…に対する特定顔画像Ｈｎの置き換え合成処理をその都度行い表示出力する構成としてもよい。
【０１１４】
したがって、前記構成の画像出力装置１０による公開／秘密画像設定表示機能によれば、画像入力部１７を介して撮影されデジカメ撮影画像メモリ１２ｂに記憶された画像ファイルの各撮影画像データ１２ｂ１，１２ｂ２，…を、元の撮影画像１２ｈｎｂ−１，−２，…としてそのファイル名及びユーザ認証データ１２ｈｎａに対応付けて秘密画像ファイル１２ｈｎｂとして保存すると共に、元の撮影画像１２ｈｎｂ−１，−２，…について、シークレット用フォトアドレス帳メモリ１２ｇ３に登録されている秘密の人物の顔画像Ｈｎを特定して、予め対応設定されたアニメ顔など別顔画像１２ｅ（ｎ）で置き換え処理した合成画像１２ｈｎｃ−１，−２，…を容易に作成して公開画像ファイル１２ｈｎｃに保存する。そして、画像の表示操作（方式２）に伴いファイル名が指定されると、指定のファイル名に対応する撮影画像ファイル（ｎ）１２ｈｎ内の公開画像ファイル１２ｈｎｃから前記合成画像１２ｈｎｃ−１，−２，…が読み出されて表示され、正しいユーザ認証データ１２ｈｎａが入力されることで、前記秘密画像ファイル１２ｈｎｂに保存された元の撮影画像１２ｈｎｂ−１，−２，…が読み出されて表示されるので、撮影画像ファイルの中から秘密人物の顔画像を容易に特定して対応設定された別の顔画像に置き換え合成できるだけでなく、第三者の操作によって元の撮影画像１２ｈｎｂ−１，−２，…がそのまま表示されるのを防止することができ、しかも合成画像１２ｈｎｃ−１，−２，…であっても、秘密の被写体の顔画像Ｈｎは例えばその本人に対応したアニメ顔などによって置き換えられて合成されているので、撮影の構図やその雰囲気については十分第３者にも表現することができる。
【０１１５】
一方、画像の表示操作（方式１）に伴いファイル名が指定されると共に、正しいユーザ認証データ１２ｈｎａが入力された場合には、指定のファイル名に対応する撮影画像ファイル（ｎ）１２ｈｎ内の元の撮影画像１２ｈｎｂ−１，−２，…が読み出されて表示され、正しいユーザ認証データ１２ｈｎａが入力されなかった場合には、同一撮影画像ファイル（ｎ）１２ｈｎ内の公開画像ファイル１２ｈｎｃから秘密の被写体顔画像Ｈｎを予め対応設定されたアニメ顔などの別顔画像１２ｅ（ｎ）に置き換えて合成処理した合成画像１２ｈｎｃ−１，−２，…が読み出されて表示されるので、ユーザ本人によってのみ元の撮影画像１２ｈｎｂ−１，−２，…をそのまま表示させて見ることができ、第三者であっても保存画像の表示操作を安心して行わせることができる。
【０１１６】
また、前記構成の画像出力装置１０による合成画像作成処理に伴う撮影顔画像特定機能によれば、秘密画像ファイル１２ｈｎｂに保存される元の撮影画像１２ｈｎｂ−１，−２，…についての隠蔽すべき人物の顔画像Ｈｎの特定は、当該元の撮影画像１２ｈｎｂ−１，−２，…からの輪郭処理又は肌色円形部分の抽出処理によって得られる各被写体の顔画像Ｈｎと、シークレット用フォトアドレス帳メモリ１２ｇ３に登録されている第３者には知られたくない（公開したくない）秘密の知人の顔画像データ１２ｇ３（ｎ）との類似度判断に基づき行われるので、秘密人物の顔画像Ｈｎを特定すべき複数枚の撮影画像１２ｈｎｂ−１，−２，…に対しても容易にその秘密の知人である顔画像Ｈｎを特定して別顔画像１４ｅ（ｎ）に置き換え合成画像１２ｈｎｃ−１，１２ｈｎｃ−２，…を作成することができる。
【０１１７】
また、前記構成の画像出力装置１０では、元の撮影画像１２ｈｎｂ−１，−２，…から特定された秘密の顔画像Ｈｎとの置き換えのために用意された別顔画像１４ｅ（ｎ）は、例えば当該秘密の顔画像Ｈｎの本人によってその男性／女性が対応するアニメの類似顔画像に設定したり、異なる感じのアニメ顔に設定したりするのと共に、これを選択可能にすることで、秘密の顔画像Ｈｎに応じた種々の別顔画像１２ｅ（ｎ）によって合成画像１２ｈｎｃ−１，−２，…を作成できる。
【０１１８】
なお、前記実施形態の画像出力装置１０では、デジタルカメラ付き携帯電話１０Ａやデジタルカメラ１０Ｂのその本体において、撮影した画像ファイルの元の撮影画像１２ｈｎｂ−１，−２，…を秘密画像ファイル１２ｈｎｂに保存すると共に、当該元の撮影画像１２ｈｎｂ−１，−２，…それぞれにおける秘密人物の顔画像Ｈｎを予め対応設定したアニメ顔などの別顔画像１２ｅ（ｎ）に置き換え処理した合成画像１２ｈｎｃ−１，−２，…を作成して公開画像ファイル１２ｈｎｃに保存する。そして、この撮影装置１０Ａ，１０Ｂ本体での画像表示操作に伴い、正規のユーザ認証データ１２ｈｎａが入力された場合には前記秘密画像ファイル１２ｈｎｂに保存された元の撮影画像１２ｈｎｂ−１，−２，…を表示出力し、正規のユーザ認証データ１２ｈｎａが入力されない場合には前記公開画像ファイル１２ｈｎｃに保存された合成画像１２ｈｎｃ−１，−２，…を表示出力する構成としたが、次の第２実施形態において説明するように、インターネットなどの通信ネットワークＮ上にあるＷｅｂサーバ３０において前記同様の撮影画像ファイルの各撮影画像に対する合成画像作成機能や保存機能を持たせ、このＷｅｂサーバ３０に対する各通信端末からのアクセスに伴い、正規のユーザ認証データが入力されたか否かによって、前記同様に元の撮影画像か又はその合成画像を選択出力する構成としてもよい。
【０１１９】
（第２実施形態）
図１３は本発明の第２実施形態に係る画像配信サーバ３０の構成を示すブロック図である。
【０１２０】
この画像配信サーバ３０は、各種の記録媒体に記録されたプログラム、又は、伝送されたプログラムを読み込んで、その読み込んだプログラムによって動作が制御されるコンピュータによって構成され、その電子回路には、ＣＰＵ（ｃｅｎｔｒａｌ  ｐｒｏｃｅｓｓｉｎｇ  ｕｎｉｔ）３１が備えられる。
【０１２１】
ＣＰＵ３１は、メモリ３２内に予め記憶されたサーバ制御プログラム、あるいはＣＤ−ＲＯＭなどの外部記録媒体３３から記録媒体読取部３４を介して前記メモリ３２に読み込まれたサーバ制御プログラム、あるいはインターネットＮ上の他のＷｅｂサーバ（この場合はプログラムサーバ）から電送制御部３５を介して前記メモリ３２に読み込まれたサーバ制御プログラムに応じて、回路各部の動作を制御するもので、前記メモリ３２に記憶されたサーバ制御プログラムは、電送制御部３５を介して接続されるインターネットＮ上の各通信端末（デジタルカメラ付き携帯電話１０Ａ、通信機能付きデジタルカメラ１０Ｂ、その他ＰＣ（ｐｅｒｓｏｎａｌ  ｃｏｍｐｕｔｅｒ）端末）などや他のＷｅｂサーバとの通信信号に応じて起動される。
【０１２２】
前記ＣＰＵ３１には、前記メモリ３２、記録媒体読取部３４、電送制御部３５が接続される他に、ＬＣＤからなる表示部３６などが接続される。
【０１２３】
そして、メモリ３２には、当該画像配信サーバ３０の全体の動作を司るシステムプログラムや電送制御部３５を介してインターネットＮ上の各通信端末（デジタルカメラ付き携帯電話１０Ａ、通信機能付きデジタルカメラ１０Ｂ、その他ＰＣ（ｐｅｒｓｏｎａｌ  ｃｏｍｐｕｔｅｒ）端末などや他のＷｅｂサーバとデータ通信するための通信プログラムが記憶される他に、前記インターネットＮ上の各通信端末（１０Ａ，１０Ｂなど）とのアクセスに基づき、それぞれそのユーザ端末毎の撮影画像ファイル３２Ｈｎ，…を生成管理し、撮影画像データを保存・配信したり、当該撮影画像内の秘密にしたい（公開したくない）被写体の顔画像の特定とこの特定顔画像を別顔画像に置き換えることによる合成画像の作成処理や保存・配信処理などを行うための画像出力処理プログラム３２ａなどが記憶される。
【０１２４】
従って、この画像配信サーバ３０のメモリ３２にも、前記画像出力装置１０のメモリ１２と同様に、各ユーザ端末から受信された撮影画像ファイルが一時記憶される受信撮影画像メモリ３２ｂ、この受信された撮影画像ファイルについて合成画像を作成するための特定顔画像位置登録メモリ３２ｃ、別顔画像メモリ３２ｅなどが用意され、さらに、各ユーザ端末毎の管理ファイル３２ｈとして、フォトアドレス帳メモリ３２ｇ（ビジネス１，プライベート２，シークレット３）、撮影画像ファイル３２ｈ１，３２ｈ２，…などが用意される。
【０１２５】
各ユーザ端末毎の撮影画像ファイル（１）３２ｈ１，（２）３２ｈ２，…には、そのそれぞれのファイル（１）（２）…毎に、ファイル名：ユーザ認証データ（指紋画像やパスワードなど）３２ｈ１ａ，３２ｈ２ａ，…に対応付けされた秘密画像ファイル３２ｈ１ｂ，３２ｈ２ｂ，…と公開画像ファイル３２ｈ１ｃ，３２ｈ２ｃ，…とが用意される。
【０１２６】
秘密画像ファイル３２ｈ１ｂ，３２ｈ２ｂ，…には、アクセス元のユーザ端末（１０Ａや１０Ｂなど）から受信され前記受信撮影画像メモリ３２ｂに記憶された撮影画像ファイル内の各撮影画像データがそのまま元の撮影画像３２ｈｎｂ−１，−２，…として記憶保存され、公開画像ファイル３２ｈ１ｃ，３２ｈ２ｃ，…には、前記秘密画像ファイル３２ｈ１ｂ，３２ｈ２ｂ，…に記憶された元の撮影画像３２ｈｎｂ−１，−２，…それぞれの秘密の被写体顔画像を予め対応設定あるいは選択された別顔画像（３２ｅ（ｎ））に置き換え処理した合成画像３２ｈｎｃ−１，−２，…が記憶保存される。
【０１２７】
この秘密画像ファイル３２ｈ１ｂ，３２ｈ２ｂ，…に保存される元の撮影画像データ３２ｈｎｂ−１，−２，…と公開画像ファイル３２ｈ１ｃ，３２ｈ２ｃ，…に保存される合成画像データ３２ｈｎｃ−１，−２，…との関係については、前記第１実施形態にて説明した画像出力装置１０と同様であるためその説明を省略する。
【０１２８】
このような構成の画像配信サーバ３０をインターネットなどの通信ネットワークＮ上に開設し、各ユーザ端末としてのデジタルカメラ付き携帯電話１０Ａや通信機能付きデジタルカメラ１０Ｂなどとの通信を行い、各ユーザ端末におけるフォトアドレス帳データや撮影画像ファイルを取り込み当該画像配信サーバ３０において前記第１実施形態の画像出力装置１０と同様に管理することで、各ユーザ端末３２ｈｎ…毎に元の撮影画像３２ｈｎｂ−１，−２，…に対応付けて容易に合成画像３２ｈｎｃ−１，−２，…を生成保存することができ、またこれらの保存画像を各ユーザ端末からの要求に応じて配信することができる。
【０１２９】
この場合、各ユーザファイル３２ｈｎ…に保存された秘密画像ファイル３２ｈｎｂ内の元の撮影画像３２ｈｎｂ−１，−２，…は、その何れも各対応するユーザ端末の認証データ３２ｈｎａが入力一致判断された場合にのみ読み出されて配信される。
【０１３０】
したがって、前記構成の画像配信サーバ３０において各ユーザ端末との間でアクセスしながら実施される公開／秘密画像設定機能やこれに伴う合成画像作成機能、そして画像配信機能によれば、ユーザ端末とのアクセスに伴い受信されたユーザ名：ファイル名：ユーザ認証データ３２ｈｎａに対応付けて、撮影受信された画像ファイル３２ｂ１，３２ｂ２，…中の元の撮影画像３２ｈｎｂ−１，−２，…を秘密画像ファイル３２ｈｎｂとして保存すると共に、元の撮影画像３２ｈｎｂ−１，−２，…における秘密人物の顔画像Ｈｎを当該ユーザ毎のフォトアドレス帳メモリ３２ｇに登録されたシークレットの顔画像（３２ｇ３（ｎ））に基づき容易に特定して別顔画像３２ｅ（ｎ）に置き換え処理した合成画像３２ｈｎｃ−１，−２，…を作成し公開画像ファイル３２ｈｎｃに保存する。この後、ユーザ端末からのアクセスに伴いファイル名が指定されると、該当ユーザのファイル名３２ｈｎａに対応する撮影画像ファイル（ｎ）３２ｈｎ内の公開画像ファイル３２ｈｎｃから秘密人物の特定顔画像Ｈｎを別顔画像３２ｅ（ｎ）で置き換え処理した合成画像３２ｈｎｃ−１，−２，…が読み出されて配信され、正しいユーザ認証データ３２ｈｎａが入力されることで、前記秘密画像ファイル３２ｈｎｂに保存された元の撮影画像３２ｈｎｂ−１，−２，…が読み出されて配信されるので、第三者端末からのアクセス操作によって元の撮影画像３２ｈｎｂ−１，−２，…がそのまま配信出力されるのを防止することができ、しかも合成画像３２ｈｎｃ−１，−２，…であっても、秘密人物の顔画像Ｈｎはその本人に応じたアニメ顔などに置き換えられて合成されているので、撮影の構図やその雰囲気については配信先の第３者にも十分表現することができる。
【０１３１】
なお、この画像配信サーバ３０では、特定会員用のＨＰ（ホームページ）からの端末アクセスに基づき撮影画像の配信要求があった場合には、各会員ユーザファイル３２ｈｎ…に保存された秘密画像ファイル３２ｈｎｂ内の元の撮影画像３２ｈｎｂ−１，−２，…を出力配信し、一般会員用のＨＰ（ホームページ）からの端末アクセスに基づき撮影画像の配信要求があった場合には、各会員ユーザファイル３２ｈｎ…に保存された公開画像ファイル３２ｈｎｃ内の合成画像３２ｈｎｃ−１，−２，…を出力配信する構成としてもよい。
【０１３２】
なお、前記各実施形態において記載した画像出力装置１０や画像配信サーバ３０による各処理の手法、すなわち、図８のフローチャートに示す画像撮影処理、図９のフローチャートに示す公開／秘密画像設定処理、図１０のフローチャートに示す当該公開／秘密画像設定処理に伴う合成画像作成処理、図１１のフローチャートに示す当該合成画像作成処理に伴う撮影顔画像特定処理、図１２のフローチャートに示す画像表示処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３（３３）に格納して配布することができる。そして、通信ネットワーク（インターネット）Ｎとの通信機能を備えた種々のコンピュータ端末は、この外部記録媒体１３（３３）に記憶されたプログラムを記録媒体読取部１４（３４）によってメモリ１２（３２）に読み込み、この読み込んだプログラムによって動作が制御されることにより、前記各実施形態において説明した公開／秘密画像設定・表示（配信）機能を実現し、前述した手法による同様の処理を実行することができる。
【０１３３】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末から前記のプログラムデータを取り込み、前述した公開／秘密画像設定・表示（配信）機能を実現することもできる。
【０１３４】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１３５】
【発明の効果】
以上のように、本発明の請求項１に係る画像出力装置によれば、サーチ顔画像記憶手段によりサーチ顔画像が記憶され、別顔画像記憶手段により別顔画像が記憶され、撮影画像記憶手段により撮影画像が記憶される。そして、顔画像特定手段によって前記撮影画像記憶手段により記憶された撮影画像の中から前記サーチ顔画像記憶手段により記憶されたサーチ顔画像に対応した顔画像が特定される。すると、合成画像作成手段によって前記特定された顔画像を前記別顔画像記憶手段により記憶された別顔画像に置き換えた合成画像が作成され、合成画像出力手段によって出力されるので、撮影画像の中の例えば秘密の人物の顔画像を、サーチ顔画像に基づき容易に特定しこれを別顔画像に置き換えた合成画像を作成でき、この合成画像を出力できるようになる。
【０１３６】
また、本発明の請求項２に係る画像出力装置によれば、サーチ顔画像記憶手段によってサーチ顔画像が記憶され、別顔画像記憶手段によって別顔画像が記憶され、撮影画像記憶手段によって撮影画像が記憶される。そして、顔画像特定手段によって前記撮影画像記憶手段により記憶された撮影画像の中から前記サーチ顔画像記憶手段により記憶されたサーチ顔画像に対応した顔画像が特定され、合成画像作成手段によって前記顔画像特定手段により特定された顔画像を前記別顔画像記憶手段により記憶された別顔画像に置き換えた合成画像が作成され、合成画像記憶手段によって記憶される。すると、合成画像出力手段によって外部からの画像出力要求に応答して前記合成画像記憶手段により記憶された合成画像が出力され、また撮影画像出力手段によって外部からの画像出力要求に伴う認証情報の入力に応答して、前記撮影画像記憶手段により記憶された撮影画像が出力されるので、撮影画像の中の例えば秘密の人物の顔画像を、サーチ顔画像に基づき容易に特定しこれを別顔画像に置き換えた合成画像を作成できるばかりでなく、通常の画像出力要求時には当該合成画像を出力でき、撮影者本人などの認証情報が入力された場合にのみ元の撮影画像を出力できるようになる。
【０１３７】
また、本発明の請求項３に係る画像出力装置によれば、サーチ顔画像記憶手段によってサーチ顔画像が記憶され、別顔画像記憶手段によって別顔画像が記憶され、撮影画像記憶手段によって撮影画像が記憶される。そして、顔画像特定手段によって前記撮影画像記憶手段により記憶された撮影画像の中から前記サーチ顔画像記憶手段により記憶されたサーチ顔画像に対応した顔画像が特定され、合成画像作成手段によって前記顔画像特定手段により特定された顔画像を前記別顔画像記憶手段により記憶された別顔画像に置き換えた合成画像が作成され、合成画像記憶手段によって記憶される。すると、画像出力手段によって外部からの画像出力要求に伴い正規の認証情報が入力された場合には前記撮影画像記憶手段により記憶された撮影画像が出力され、外部からの画像出力要求に伴い正規の認証情報が入力されない場合には前記合成画像記憶手段により記憶された合成画像が出力されるので、撮影画像の中の例えば秘密の人物の顔画像を、サーチ顔画像に基づき容易に特定しこれを別顔画像に置き換えた合成画像を作成できるばかりでなく、撮影者本人などの正規の認証情報が入力された場合には元の撮影画像を出力でき、正規の認証情報が入力されない場合にはその合成画像を出力できるようになる。
【０１３８】
また、本発明の請求項４に係る画像出力装置によれば、サーチ顔画像記憶手段によってサーチ顔画像が記憶され、別顔画像記憶手段によって別顔画像が記憶され、撮影画像記憶手段によって撮影画像が記憶される。そして、顔画像特定手段によって前記撮影画像記憶手段により記憶された撮影画像の中から前記サーチ顔画像記憶手段により記憶されたサーチ顔画像に対応した顔画像が特定され、特定顔画像部記憶手段によって前記特定された撮影画像の中の顔画像部分が記憶される。すると、撮影画像出力手段によって外部からの画像出力要求に伴い正規の認証情報が入力された場合には前記撮影画像記憶手段により記憶された撮影画像が出力され、また、外部からの画像出力要求に伴い正規の認証情報が入力されない場合には、合成画像作成手段によって前記特定顔画像部記憶手段により記憶された撮影画像の中の顔画像部分に従いその特定された顔画像を前記別顔画像記憶手段により記憶された別顔画像に置き換えた合成画像が作成されると共に、合成画像出力手段によって出力されるので、撮影者本人などの正規の認証情報が入力された場合には撮影した元の撮影画像を出力でき、正規の認証情報が入力されない場合には撮影画像の中の例えば秘密の人物の顔画像を、サーチ顔画像に基づき容易に特定しこれを別顔画像に置き換えた合成画像を作成して出力できるようになる。
【０１３９】
また、本発明の請求項５に係る画像出力装置によれば、前記請求項１ないし請求項４の何れか１項に係る画像出力装置にあって、前記別顔画像記憶手段により記憶される別顔画像は、前記サーチ顔画像記憶手段により記憶されるサーチ顔画像に対応付けられて記憶され、前記合成画像作成手段では、前記撮影画像の中の特定された顔画像を当該特定顔画像に対応したサーチ顔画像に対応付けられて前記別顔画像記憶手段により記憶された別顔画像に置き換えた合成画像が作成されるので、撮影画像の中の例えば秘密の人物の顔画像を、サーチ顔画像に基づき容易に特定しこれを当該サーチ顔画像に応じたアニメ顔などの別顔画像に置き換えた合成画像を作成できるようになる。
【０１４０】
また、本発明の請求項６に係る画像出力装置によれば、前記請求項５に係る画像出力装置にあって、前記合成画像作成手段は、前記別顔画像記憶手段により記憶された別顔画像の１つを選択する別顔画像選択手段を有し、前記撮影画像の中の特定された顔画像を当該特定顔画像に対応したサーチ顔画像に対応付けられて前記別顔画像記憶手段により記憶された別顔画像または前記別顔画像選択手段により選択された別顔画像に置き換えて合成画像を作成するので、撮影画像の中の例えば秘密の人物の顔画像を、サーチ顔画像に基づき容易に特定しこれを当該サーチ顔画像に応じたアニメ顔などの別顔画像か又は任意選択した別顔画像に置き換えた合成画像を作成できるようになる。
【０１４１】
また、本発明の請求項７に係る画像出力装置によれば、請求項１ないし請求項６の何れか１項に係る画像出力装置にあって、前記合成画像作成手段による前記撮影画像の中の特定された顔画像の別顔画像への置き換えは、当該特定顔画像のサイズに別顔画像のサイズを合わせて置き換えられるので、撮影画像の中の例えば秘密の人物の顔画像を、サーチ顔画像に基づき容易に特定しこれを当該特定顔画像のサイズに合わせた別顔画像に置き換えた合成画像を作成できるようになる。
【０１４２】
また、本発明の請求項８に係る画像出力装置によれば、前記請求項１ないし請求項７の何れか１項に係る画像出力装置にあって、さらに、デジタルカメラなどの撮影手段を備え、この撮影手段により撮影された撮影画像に基づいて、当該撮影画像が撮影画像記憶手段により記憶されたり、この撮影画像中のサーチ顔画像が別顔画像に置き換え合成されて合成画像出力手段により出力されるようになる。
【０１４３】
よって、撮影画像中の隠したい顔画像を容易に探し出し、画像合成して出力することが可能になる。
【図面の簡単な説明】
【図１】本発明の第１実施形態に係る画像出力装置１０の電子回路の構成を示すブロック図。
【図２】前記画像出力装置１０の別顔画像メモリ１２ｅに記憶された各種の別画像（１），（２），…を示す図。
【図３】前記画像出力装置１０のフォトアドレス帳メモリ１２ｇに記憶された各フォトアドレスデータの内容を示す図。
【図４】前記画像出力装置であるデジタルカメラ付き携帯電話１０Ａの外観構成を示す図であり、同図（Ａ）はその全体斜視図、同図（Ｂ）はその部分拡大図。
【図５】前記画像出力装置であるデジタルカメラ１０Ｂとそのクレードル１５ｘの外観構成を示す図。
【図６】前記画像出力装置１０の公開／秘密画像設定処理に伴い撮影画像ファイル１２ｈ１にユーザ認証データ１２ｈ１ａを対応付けて保存管理される秘密画像ファイル１２ｈ１ｂと公開画像ファイル１２ｈ１ｃを示す図であり、同図（Ａ）（Ｂ）（Ｃ）は秘密画像ファイル１２ｈ１ｂに保存管理された元の撮影画像１２ｈ１ｂ−１，１２ｈ１ｂ−２，１２ｈ１ｂ−３を示す図、同図（Ａ１）（Ｂ１）（Ｃ１）はそれぞれその隠蔽すべき特定の顔画像を別顔画像に置き換えて公開画像ファイル１２ｈ１ｃに保存管理された合成画像１２ｈ１ｃ−１，１２ｈ１ｃ−２，１２ｈ１ｃ−３を示す図。
【図７】前記画像出力装置１０の公開／秘密画像設定処理に伴い撮影画像ファイル１２ｈ２にユーザ認証データ１２ｈ２ａを対応付けて保存管理される秘密画像ファイル１２ｈ２ｂと公開画像ファイル１２ｈ２ｃを示す図であり、同図（Ａ）（Ｂ）（Ｃ）は秘密画像ファイル１２ｈ２ｂに保存管理された元の撮影画像１２ｈ２ｂ−１，１２ｈ２ｂ−２，１２ｈ２ｂ−３を示す図、同図（Ａ１）（Ｂ１）（Ｃ１）はそれぞれその隠蔽すべき特定の顔画像を別顔画像に置き換えて公開画像ファイル１２ｈ２ｃに保存管理された合成画像１２ｈ２ｃ−１，１２ｈ２ｃ−２，１２ｈ２ｃ−３を示す図。
【図８】前記画像出力装置１０による画像撮影処理を示すフローチャート。
【図９】前記画像出力装置１０による公開／秘密画像設定処理を示すフローチャート。
【図１０】前記画像出力装置１０の公開／秘密画像設定処理に伴う合成画像作成処理を示すフローチャート。
【図１１】前記画像出力装置１０の合成画像作成処理に伴う撮影顔画像特定処理を示すフローチャート。
【図１２】前記画像出力装置１０の画像表示処理を示すフローチャートであり、同図（Ａ）はその画像表示処理（方式１）を示すフローチャート、同図（Ｂ）はその画像表示処理（方式２）を示すフローチャート。
【図１３】本発明の第２実施形態に係る画像配信サーバ３０の構成を示すブロック図。
【符号の説明】
１０  …画像出力装置
１０Ａ…デジタルカメラ付き携帯電話
１０Ｂ…通信機能付きデジタルカメラ
３０  …画像配信サーバ
１１、３１…ＣＰＵ
１２、３２…メモリ
１２ａ、３２ａ…画像出力処理プログラム
１２ｂ（３２ｂ）…デジカメ（受信）撮影画像メモリ
１２ｃ、３２ｃ…特定顔画像位置登録メモリ
１２ｅ、３２ｅ…別顔画像メモリ
１２ｇ、３２ｇ…フォトアドレス帳メモリ
１２ｈｎａ、３２ｈｎａ…ファイル名：ユーザ認証データ
１２ｈｎｂ、３２ｈｎｂ…秘密画像ファイル（元の撮影画像）
１２ｈｎｃ、３２ｈｎｃ…公開画像ファイル（合成画像）
１３、３３…外部記録媒体
１４、３４…記録媒体読取部
１５、３５…電送制御部
１６  …入力部
１７  …画像入力部（デジタルカメラ）
１７ｘ…認証情報入力部
１８  …距離センサ
１９、３６…表示部
２０  …画像出力部
２１  …Ｗｅｂサーバ
Ｎ  …通信ネットワーク（インターネット）
【図１】
2005050012.tif 000003
【図２】
2005050012.tif 000004
【図３】
2005050012.tif 000005
【図４】
2005050012.tif 000006
【図５】
2005050012.tif 000007
【図６】
2005050012.tif 000008
【図７】
2005050012.tif 000009
【図８】
2005050012.tif 000010
【図９】
2005050012.tif 000011
【図１０】
2005050012.tif 000012
【図１１】
2005050012.tif 000013
【図１２】
2005050012.tif 000014
【図１３】
2005050012.tif 000015